(57)【要約】【課題】便座に座るときショックを受けずに座ることができる便座装置を提供する。【解決手段】便器２の後部上面に配置した便座装置本体１と、便座装置本体に後端部を回転自在に取付け、便器の上面に配置した便座７と、便器の後部上面に取り付けたプレートと便座装置本体との間に配設したクッション性の弾性体５と、便座装置本体を上下動自在にプレートに連結する連結部６と、便器の上面に対する便座裏板の後脚部９に設け、着座時のショックを吸収する弾性体１０を備え、人体が便座に座った時に弾性体の圧縮により便座裏面と便器面が略平行になるようにした便座装置で、人体が着座した場合、弾性体が圧縮して着座時のショックを和らげ、クッションとなるようにすることができる。【選択図】図１
2005296152.tif 000002
【特許請求の範囲】
【請求項１】
便器の後部上面に配置した便座装置本体と、前記便座装置本体に後端部を回転自在に取付け、便器の上面に配置した便座と、便器の後部上面に取り付けたプレートと前記便座装置本体との間に配設したクッション性の弾性体と、前記便座装置本体を上下動自在に前記プレートに連結する連結部と、便器の上面に対する便座裏板の支持部に設け、着座時のショックを吸収する弾性体を備え、人体が前記便座に座ったときに前記弾性体の圧縮により便座裏面と便器面が略平行になるようにしてなる便座装置。
【請求項２】
連結部は、人体が便座に座り一定の体重がかかった場合に便座装置本体がプレートにロックされるロック機構部を設けてなる請求項１に記載の便座装置。
【請求項３】
ロック機構部は、人体が便座から立ち上がり便座に体重がかからなくなった場合にロックを解除するロック解除機構部を有する請求項２に記載の便座装置。
【請求項４】
便器の後部上面に配置した便座装置本体と、前記便座装置本体に後端部を回転自在に取付け、便器の上面に配置した便座と、前記便座の便器上面に対する便座裏板の支持部に設け、着座時のショックを吸収する弾性体を備え、人体が前記便座に座ったときに前記弾性体の圧縮により便座裏面と便器面が略平行になるようにしてなる便座装置。
【発明の詳細な説明】
【技術分野】
【０００１】
本発明は、便座装置に関し、特に使用者が便座に座ったときのクッション性に係るものである。
【背景技術】
【０００２】
一般にトイレに設置してある便器上の便座は、通常、プラスティックの素材でできた硬質のものである。これは、排便時に力が入ることもあり、しっかりした座が必要であるために、このように硬質の素材で便座が形成されている。しかし、座る時には硬い感覚があり、決して座りやすいものではなかった。また、便座には裏側に便器の上面にあたるところに脚ゴムを有していた。しかし、この脚ゴムは便器の上面に倒立自在に設けてある便座が便器の上面に倒れて降りてくるときの衝突を和らげるものとして使用されてきた。
【０００３】
一方、便座から立ち上がる時に足腰に負担がかかることを排除するためのものとして昇降装置が付いた便座装置がある。従来、この種の便座装置は上プレートと下プレートとの間に、空気を給気および排出することによって膨張収縮する空気袋を設け、上プレートと下プレートとを左右のリンクバーにより連結して構成している（例えば、特許文献１参照）。
【０００４】
図３および図４は、特許文献１に記載された従来の便座装置を示すものである。図３および図４に示すように、下プレート１０１と上プレート１０２とがリンクバー１０３により連結されており、下プレート１０１と上プレート１０２との間に設けた空気袋１０４が膨張収縮することにより上プレート１０２が上昇下降し、上プレート１０２の上に載置した便座本体１０５が昇降する。図中、１０７は便器、１０８は便座である。
【０００５】
しかしながら、上記したプラスティックの硬質の便座では、座ったときに人体をしっかりと受けとめてくれるものの、一方、座るときに勢いよくドンと座るとショックを受けるので、座りやすいとは言い難い。また、便座の裏側の脚ゴムがクッション性を有していたといえども、これも便座が便器の上面に倒れて降りてくるときの衝突を和らげるものとして使用されてきただけで、人体が座るときのクッションの役目は果たしていなかった。
【０００６】
また、上記昇降装置付の便座装置の構成では、上プレート１０２と下プレート１０１とを連結するリンクバー１０３が便座装置の左右外側に存在するため、便座装置の横幅が大きくなっていた。さらに、リンクバー１０３に指等を挟み込んだりしないようにするためのカバー１０６も必要で、便座装置の横幅がさらに大きくなっていた。昨今の住宅事情を勘案するとトイレ室を広く作ることは困難であり、大きな便座装置を設置すると、トイレ室内の掃除がしにくいという課題を有していた。この昇降装置付便座装置は、あくまでも老人などの足腰の弱った人の介護用として設けてあり、座りやすくするものとしては装置が大がかりになってしまっていた。
【特許文献１】特開平９−２０６２４２号公報
【発明の開示】
【発明が解決しようとする課題】
【０００７】
上記従来の技術の課題に鑑み、本発明が解決しようとするする課題は、コンパクトで狭いトイレ室に設置しても場所を取らず、かつ座ったときにクッション性を持つようにした便座装置を提供することにある。
【課題を解決するための手段】
【０００８】
上記課題を解決するために、本発明の便座装置は、便器の後部上面に配置した便座装置本体と、前記便座装置本体に後端部を回転自在に取付け、便器の上面に配置した便座と、便器の後部上面に取り付けたプレートと前記便座装置本体との間に配設したクッション性の弾性体と、前記便座装置本体を上下動自在に前記プレートに連結する連結部と、便器の上面に対する便座裏板の支持部に設け、着座時のショックを吸収する弾性体を備え、人体が前記便座に座ったときに前記弾性体の圧縮により便座裏面と便器面が略平行になるようにしたものである。
【０００９】
これによって、着座すると人体の体重が便座の下の弾性体と便座装置本体の下の弾性体を圧縮し、この圧縮により着座時のショックを吸収し、着座心地のよい装置にできる。
【００１０】
また、本発明の便座装置は、便器の後部上面に配置した便座装置本体と、前記便座装置本体に後端部を回転自在に取付け、便器の上面に配置した便座と、前記便座の便器上面に対する便座裏板の支持部に設け、着座時のショックを吸収する弾性体を備え、人体が前記便座に座ったときに前記弾性体の圧縮により便座裏面と便器面が略平行になるようにしたもので、便座の弾性体が着座時のショックを吸収し、着座心地のよい装置にできる。
【発明の効果】
【００１１】
本発明の便座装置は、便座装置本体と便座のそれぞれの弾性体、または便座の弾性体が圧縮により着座時のショックを吸収し、快適な座り心地の便座装置を提供することができる。
【発明を実施するための最良の形態】
【００１２】
第１の発明は、便器の後部上面に配置した便座装置本体と、前記便座装置本体に後端部を回転自在に取付け、便器の上面に配置した便座と、便器の後部上面に取り付けたプレートと前記便座装置本体との間に配設したクッション性の弾性体と、前記便座装置本体を上下動自在に前記プレートに連結する連結部と、便器の上面に対する便座裏板の支持部に設け、着座時のショックを吸収する弾性体を備え、人体が前記便座に座ったときに前記弾性体の圧縮により便座裏面と便器面が略平行になるようにした便座装置である。
【００１３】
これにより、着座すると人体の体重が便座の下の弾性体と便座装置本体の下の弾性体をそれぞれ圧縮し、この圧縮により着座時のショックを吸収する。
【００１４】
第２の発明は、第１の発明の連結部に、人体が便座に座り一定の体重がかかった場合に便座装置本体がプレートにロックされるロック機構部を設けた便座装置で、これにより、ロック機構部が便座装置本体をプレートにロックし、圧縮された各弾性体の反発力で便座装置本体および便座が浮き気味になるのを感じることがなくなり、座り心地がよくなる。
【００１５】
第３の発明は、第２の発明のロック機構部に、人体が便座から立ち上がり便座に体重がかからなくなった場合にロックを解除するロック解除機構部を設けた便座装置で、これによりロック解除機構部でロック機構のロックを解除し、便座より離座すると次の着座の準備が行え、使い勝手がよくなる。
【００１６】
第４の発明は、便器の後部上面に配置した便座装置本体と、前記便座装置本体に後端部を回転自在に取付け、便器の上面に配置した便座と、前記便座の便器上面に対する便座裏板の支持部に設け、着座時のショックを吸収する弾性体を備え、人体が前記便座に座ったときに前記弾性体の圧縮により便座裏面と便器面が略平行になるようにした便座装置で、これにより便座の弾性体が着座により圧縮されて着座時のショックを吸収する。
【００１７】
本発明の目的は、第１の発明から第４の発明を実施の形態の要部とすることにより達成できるので、各請求項に対応する実施の形態の詳細を、以下に図面を参照しながら説明し、本発明を実施するための最良の形態の説明とする。なお、本発明は本実施の形態により限定されるものではない。また、本実施の形態の説明において、同一構成並びに作用効果を奏するところには同一符号を付して重複した説明を行わないものとする。
【００１８】
（実施の形態１）
図１（Ａ）は、本発明の第１の実施の形態における便座装置で、着座していない時の概略側面図で、図１（Ｂ）は便座装置の着座している時の概略側面図である。図１において、用便後の肛門等をノズルから噴射する温水で洗浄する機構等を内蔵している横長の便座装置本体１は、便器２の後部上面に取付けボルト３、プレート４により横方向に向けて固定されている。
【００１９】
便座装置本体１は、その下面にプレート４との間に位置して使用者の着座時のショックを吸収する弾性体５が配置してある。この図では、プレート４と便座装置本体１との接続の詳細は図示していないが、図２にて便座装置本体１と便器２との固定の一例を示している。図２は便座装置本体１および便器２を後部からみた側面図である。プレート４は、２本の取付けボルト３で便器２に固定されている。
【００２０】
プレート４の両側には、それぞれ連結部６の一端部が回転自在に連結してあり、この連結部６の他端部は便座装置本体１の側部と回転自在に連結してある。従って、便座装置本体１はプレート４と便座装置本体１との間に介在した弾性体５の圧縮、復元に対応して上下に昇降する時のガイドとなっている。
【００２１】
連結部６は、３本の細長い弾生体の連結板を使用して軸部６ａで便座装置本体１の側部に、軸部６ｄでプレート４に回転自在に連結し、さらに軸部６ｂ、６ｃで連結板同士を回転自在に連結するとともに、相対向する軸部６ａと６ｃおよび軸部６ｂと６ｄを凹凸嵌合する構造であるロック機構部１１に形成して、便座７への着座による荷重を受けて弾性体５が圧縮され、便座装置本体１が便器２の上面と略平行に近接した時に軸部６ａと６ｃおよび軸部６ｂと６ｄが係合し合って圧縮された弾性体５の反発力で便座装置本体１が浮き気味にならないようにしている。
【００２２】
硬質のプラステイックで形成した略Ｕ字状の便座７は、図１に示すように便座装置本体１の前両側部に回動自在に取付けて、便器２の上面に倒立自在に設置してあり、便器２の上面に対向する裏面前に前脚部８と、左右側部裏面にそれぞれ支持部としての後脚部９が設けてある。後脚部９には使用者の着座時のショックを吸収する弾性体１０を設けている。ロック解除機構部１２は、嵌合して係合し合ったロック機構部である軸部６ａと６ｃおよび軸部６ｂと６ｄのロックを解除するもので、ピンによりロック機構部１１の嵌り込んでいる連結部６の軸部６ａと６ｃ、軸部６ｂと６ｄの係合をはずすようにしてあり、図２では一方のみを示している。
【００２３】
なお、弾性体５はゴムのようなものでも、バネ性のものでもかまわないし、あるいはゴムボールに空気を入れて弾性力をつけたものでもかまわない。ただし、この時は着座の検知により空気を抜き、着座から離座した時には空気を入れるそれぞれの制御機構が必要である。また、弾性体１０としてはバネ性のもの、発泡体で形成した弾性力をもったものなどでもかまわない。圧縮には最低限１０ｍｍ程度の厚さは必要で、できれば２０〜４０ｍｍ程度あればクッション性があり、座ったときにショックを受けない。
【００２４】
上記実施の形態の便座装置について、以下その動作、作用を説明する。まず、通常、人が使っていないときは図１（Ａ）のように弾性体５により便座装置本体１および便座７は便器２面より浮いた状態にある。そして、便座７に使用者が用便のため着座すると、人体の体重が便座７にかかり、弾性体１０が体重を受けて圧縮されて便座７が沈む。
【００２５】
続いて、便座７は便座軸を介して便座装置本体１に連結してあるため、便座装置本体１も同様に荷重を受ける。荷重を受けた便座装置本体１は、弾性体５を圧縮させて沈む。これらが順次行われて、便座装置本体１および便座７が便器２の上面に固定されるまで沈む。従って、便座装置本体１および便座７が沈む間は便座７面からの人体への力は緩和され、弾性体５、１０による弾性力によりクッション性を有し、楽に心地よく座ることができる。
【００２６】
また、図２に示すように連結部６の軸部６ａと６ｃ、軸部６ｂと６ｄが圧縮により同一軸上にきた時に凹凸嵌合してロックするロック機構部１１が作用し、圧縮し終わったらロックされ、便座装置本体１が沈み込んだ時に便器２の上面に固定され、圧縮された各弾性体の反発力で便座装置本体および便座が浮き気味になるのを感じることがなくなり、座り心地がよくなる。
【００２７】
そして、用便が終わり便座７から離座する時にロック機構部１１のロックをロック解除機構部１２により解除し、すなわち軸部６ａと６ｃ、軸部６ｂと６ｄを少し離し、弾性体５、１０の復元力も作用し合って便座装置本体１および便座７が浮上し、離座時点で再び弾性体がフリー状態になり次に座る準備ができる。
【００２８】
なお、本実施の形態においては、便座装置本体１と便座７に対して弾性体５、１０を設け、圧縮させてクッション性を有するようにしたが、便座装置本体１は便器２の後部上面に横方向に固定した形態の便座装置の場合には、便座７に対してのみ弾性体を施してクッション性を持たせることでも、本実施の形態と同様の作用効果を期待できる。
【産業上の利用可能性】
【００２９】
以上のように、本発明にかかる便座装置は、コンパクトな構成で気持ちの良いクッション性を得ることができるため、一般の椅子等の用途にも適用できる。
【図面の簡単な説明】
【００３０】
【図１】（Ａ）本発明の実施の形態１における便座装置の着座していない時の概略側面図（Ｂ）便座装置の着座している時の概略側面図
【図２】本発明の実施の形態１における便座装置本体の一部斜視図
【図３】従来の便座装置の分解斜視図
【図４】従来の便座装置の概略側面図
【符号の説明】
【００３１】
１  便座装置本体
２  便器
４  プレート
５、１０  弾性体
６  連結部
７  便座
９  後脚部（支持部）
１１  ロック機構部
１２  ロック解除機構部
【図１】
2005296152.tif 000003
【図２】
2005296152.tif 000004
【図３】
2005296152.tif 000005
【図４】
2005296152.tif 000006